(57)【要約】      （修正有）【課題】狭窄された胆道のような、分枝されてＹ字形状となる地点にステントを設置することは容易に行うことができない。【解決手段】ステント挿入装置は、中空形状に形成され、内部にステント（５０）が収容されるシース（１００）、前記シースの内部に移動可能に挿入されて前記ステントの一端に結合されるメイン案内管（２００）、及び前記メイン案内管に分枝されるように結合されて前記ステントの一端から分枝された他端に結合される補助案内管（３００）を含む。【選択図】図４
2018134369.tif 000002
【特許請求の範囲】
【請求項１】
中空形状に形成されて内部にステントが収容されるシース；
前記シースの内部に移動可能に挿入されて前記ステントの一端に結合されるメイン案内管；及び
前記メイン案内管に分枝されるように結合されて前記ステントの一端から分枝された他端に結合される補助案内管を含む、ステント挿入装置。
【請求項２】
前記メイン案内管に移動可能に挿入されて前記メイン案内管の移動をガイドする第１ガイドワイヤ；及び
前記シースの外側面に形成された貫通孔を通して前記シースの内部に挿入され、前記補助案内管に挿入されて前記補助案内管の移動をガイドする第２ガイドワイヤを含む、請求項１に記載のステント挿入装置。
【請求項３】
前記メイン案内管と前記補助案内管との前端にそれぞれ備えられ、前記第１ガイドワイヤ及び前記第２ガイドワイヤが挿入されるように中空形状に形成されるオリーブチップを含む、請求項２に記載のステント挿入装置。
【請求項４】
内部に前記メイン案内管が挿入され、外部に前記補助案内管が結合され、前記ステントの後端に備えられて前記ステントの移動を防止する支持部材をさらに含む、請求項１に記載のステント挿入装置。
【請求項５】
前記支持部材の前端には、前記ステントの位置が確認されるようにマーカーが備えられる、請求項４に記載のステント挿入装置。
【請求項６】
前記メイン案内管と前記補助案内管との周りに突出するように形成されて前記ステントの移動を防止する係止部材を含む、請求項１に記載のステント挿入装置。
【請求項７】
前記ステントの一端と他端とを前記メイン案内管と前記補助案内管とにそれぞれ固定して前記ステントの拡張を防止する固定部材を含む、請求項１に記載のステント挿入装置。
【請求項８】
前記メイン案内管と連通するように前記メイン案内管の一端に備えられる案内管ハンドル；及び
前記メイン案内管が挿入されるように前記シースと連通するように結合されるシースハンドルを含む、請求項７に記載のステント挿入装置。
【発明の詳細な説明】
【技術分野】
【０００１】
本発明は、ステント挿入装置に関し、より詳細には、分枝されるステントを体内に挿入するためのステント挿入装置に関するものである。
【背景技術】
【０００２】
一般に、人体に血管、食道または胆道など、一定の内径を確保する必要がある器官に沈殿物などの原因によって狭窄が発生する場合、人工的に狭窄部位を拡張させるよう、ステント（Ｓｔｅｎｔ）を挿入することができる。
【０００３】
特に、胆道の場合、肝で生成される消化酵素の胆汁の移動経路として利用されるので、狭窄が発生すると胆道の直径が狭くなり、胆汁の排出が円滑に行われないおそれがある。
【０００４】
したがって、狭窄された胆道にステントを挿入して胆道を広げ、胆汁が円滑に排出されるようにすることで、食べ物や流体の逆流を防止することができる。
【０００５】
胆道は分枝されてＹ字形状となり、このような分枝地点にステントを設置することは容易に行うことができない、という問題点がある。
【０００６】
例えば、先行文献（韓国公開特許第１０-２０１２-００３５９７８号）では、第１分枝管にステントを設置した後、また第２分枝管にステントを設置した。ただし、第１分枝管に設置されたステントと第２分枝管に設置されたステントとは、相互重なってＹ字形を形成するようにした。
【０００７】
先行文献のように、第１分枝管と第２分枝管にそれぞれステントを設置するためには、ステント挿入装置を体内に二回挿入しなければならないので、総設置時間が長くなる。
【０００８】
また、二つのステントが重なることによって、重なった部位での胆汁の流動が円滑でない場合もある。
【先行技術文献】
【特許文献】
【０００９】
【特許文献１】韓国公開特許第１０-２０１２-００３５９７８号 公開日：２０１２．０４．１７
【発明の概要】
【発明が解決しようとする課題】
【００１０】
本発明は、前記問題点を解決するためのもので、分枝形態に形成されたステントを胆道の分枝部位に挿入するためのステント挿入装置を提供しようとする。
【００１１】
本発明の課題は、以上で言及した課題に限定されず、言及されていない他の課題は、以下の記載から通常の技術者なら明確に理解することができる。
【課題を解決するための手段】
【００１２】
本発明の一態様によれば、中空形状に形成されて内部にステントが収容されるシース、前記シースの内部に移動可能に挿入されて前記ステントの一端に結合されるメイン案内管、及び前記メイン案内管に分枝されるように結合されて前記ステントの一端から分枝された他端に結合される補助案内管を含むステント挿入装置が提供される。
【００１３】
また、本発明の一態様に係るステント挿入装置は、前記メイン案内管に移動可能に挿入されて前記メイン案内管の移動をガイドする第１ガイドワイヤ、及び前記シースの外側面に形成された貫通孔を通して前記シースの内部に挿入され、前記補助案内管に挿入されて前記補助案内管の移動をガイドする第２ガイドワイヤを含むことができる。
【００１４】
また、前記メイン案内管と前記補助案内管との前端にそれぞれ備えられ、前記第１ガイドワイヤ及び前記第２ガイドワイヤが挿入されるように中空形状に形成されるオリーブチップを含むことができる。
【００１５】
また、内部に前記メイン案内管が挿入され、外部に前記補助案内管が結合され、前記ステントの後端に備えられて前記ステントの移動を防止する支持部材をさらに含むことができる。
【００１６】
前記支持部材の前端には、前記ステントの位置が確認されるようにマーカーが備えられてもよい。
【００１７】
また、前記メイン案内管と前記補助案内管との周りに突出するように形成されて前記ステントの移動を防止する係止部材を含んでもよい。
【００１８】
また、前記ステントの一端と他端とを前記メイン案内管と前記補助案内管とにそれぞれ固定して前記ステントの拡張を防止する固定部材を含んでもよい。
【００１９】
また、前記メイン案内管と連通するように前記メイン案内管の一端に備えられる案内管ハンドル、及び前記メイン案内管が挿入されるように前記シースと連通するように結合されるシースハンドルを含んでもよい。
【発明の効果】
【００２０】
本発明の実施形態に係るステント挿入装置は、次のような効果がある。
【００２１】
第一に、ステントの分枝部のそれぞれに結合されるメイン案内管と補助案内管とを含む分枝形態のステントを容易に胆道に設けることができる。
【００２２】
第二に、メイン案内管と補助案内管とを含んだとしてもシースの直径が大きくなることを防止することができ、シースを容易に体内に挿入することができる。
【００２３】
本発明の効果は、前記言及した効果に限定されることがない。言及されていない他の効果は、請求範囲の記載から当業者なら明確に理解することができる。
【図面の簡単な説明】
【００２４】
【図１】本発明の一実施形態に係るステント挿入装置を示す図面である。
【図２】本発明の一実施形態に係るステント挿入装置を示す図面である。
【図３】本発明の一実施形態に係るステント挿入装置の斜視図である。
【図４】本発明の一実施形態に係るステント挿入装置の断面図である。
【図５】本発明の一実施形態に係るステント挿入装置を利用してステントを胆道に設置した状態を示す図面である。
【図６】本発明の一実施形態に係るステント挿入装置を利用してステントを設置する過程を示す図面である。
【図７】本発明の一実施形態に係るステント挿入装置を利用してステントを設置する過程を示す図面である。
【図８】本発明の一実施形態に係るステント挿入装置を利用してステントを設置する過程を示す図面である。
【図９】本発明の一実施形態に係るステント挿入装置を利用してステントを設置する過程を示す図面である。
【図１０】本発明の一実施形態に係るステント挿入装置を利用してステントを設置する過程を示す図面である。
【発明を実施するための形態】
【００２５】
以下、本発明の実施形態について添付図面を参照して詳細に説明する。ただし、添付図面は本発明の内容をより容易に開示するために示されるものであって、本発明の範囲が添付図面の範囲に限定されないことは、この技術分野における通常の知識を有する者であれば容易に分かることができる。
【００２６】
図１ないし図４を参照すると、本発明の一実施形態に係るステント挿入装置は、シース１００、メイン案内管２００、及び補助案内管３００を含む。
【００２７】
シース１００は、中空形状に形成され、内部にステント５０を収容することができる。
【００２８】
シース１００は、中空形状に形成されて内部に収容空間が形成されることができ、内部にステント５０の他にメイン案内管２００及び補助案内管３００などが収容されてもよい。
【００２９】
シース１００は、内部に収容されたステント５０、メイン案内管２００及び補助案内管３００をステント５０の設置すべき位置まで移送するために使用されてもよい。したがって、シース１００は、体内に挿入されるようにフレキシブルに形成されてもよく、医療用機器に広く使われる材質で形成されてもよい。
【００３０】
一方、シース１００の内部に収容されたステント５０は、拡張及び収縮できるように形成され、収縮された状態でシース１００の内部に収容され、設置すべき位置に移動された後にシース１００から排出されて拡張することによって狭窄部位を拡張させることができる。
【００３１】
次に、シース１００の内部に収容されるメイン案内管２００及び補助案内管３００について説明する。
【００３２】
メイン案内管２００は、シース１００の内部に移動可能に挿入され、ステント５０の一端に結合されてもよい。
【００３３】
補助案内管３００は、メイン案内管２００に分枝されるように結合され、ステント５０の一端から分枝された他端に結合されてもよい。
【００３４】
ステント５０の一端及び他端は、固定部材５００によってメイン案内管２００及び補助案内管３００に固定されることができる。
【００３５】
固定部材５００は、図３及び図４に図示されたように、ワイヤの形態に形成され、引っ張られると、ステント５０がほどけるように形成されてもよい。
【００３６】
ただし、固定部材５００は、ワイヤの形態に限定されることなく、例えば、手かぎ状に形成されて、ステント５０の一端と他端とが開かれないように固定することができる。
【００３７】
このような固定部材５００は、ステント５０がシース１００から外部へ排出されると、ステント５０の拡張力によってステント５０から分離されるように、弾性力を持つように作製され、生分解性材質で形成され、体内で一定の時間が経つと分解されるように形成されてもよい。
【００３８】
以下、説明の便宜のために、固定部材５００として、ワイヤの形態である固定ワイヤ５００が使われる場合について説明する。
【００３９】
一方、本発明の実施形態に係るステント挿入装置によって設置されるステント５０は、図５に図示されたように、分枝された形態のステント５０であってもよく、胆管３０から分枝胆管４０が分枝される設置すべき位置Ａ、Ｂに設けられてもよい。
【００４０】
本発明の一実施形態に係るステント挿入装置は、一回の工程でこのような分枝された形態のステント５０を設置すべき位置に設けることを特徴とする。
【００４１】
具体的に、メイン案内管２００と補助案内管３００とは、同時に一体に結合されたステント５０の後端に挿入されてもよく、メイン案内管２００は、ステント５０の後端から分枝された一端に挿入されて結合され、補助案内管３００は、ステント５０の後端から分枝された他端に挿入されて結合されてもよい。
【００４２】
分枝された形態のステント５０を設置するためにメイン案内管２００と補助案内管３００とが含まれているが、シース１００が体内に容易に挿入されるためにシース１００の直径を小さく形成する必要がある。
【００４３】
したがって、本発明の一実施形態に係るステント挿入装置は、シース１００の直径を小さくするために、補助案内管３００をシース１００の前端のみに備えるようにし、以後説明する第２ガイドワイヤ３６０は、シース１００の外側面を通じてシース１００の内部に挿入されるようにした。
【００４４】
具体的に、メイン案内管２００は、シース１００に比べてその長さが長く形成されてもよく、シース１００の一端に備えられたシースハンドル１５０を通してシース１００の内部に挿入されてもよい。
【００４５】
シースハンドル１５０は、メイン案内管２００が挿入されるように、シース１００と連通するように結合されてもよい。シースハンドル１５０の外側面には、既に説明した固定ワイヤ５００が挿入されるように突起部１６０が突出して形成されてもよい。
【００４６】
また、メイン案内管２００と連通するようにメイン案内管２００の一端に案内管ハンドル２５０が備えられてもよい。
【００４７】
したがって、シースハンドル１５０と案内管ハンドル２５０とを相対的に移動させることにより、メイン案内管２００とシース１００とが相対的に移動することができる。メイン案内管２００とシース１００との相対的な移動によるステント５０の設置過程については、後述に、図６ないし図１０を参照して説明する。
【００４８】
案内管ハンドル２５０の中空の内部には、メイン案内管２００に移動可能に挿入されてメイン案内管２００の移動をガイドする第１ガイドワイヤ２６０が挿入されてもよい。
【００４９】
メイン案内管２００は、案内管ハンドル２５０を調節することによって移動することができ、補助案内管３００は、メイン案内管２００の移動に従って移動することができる。
【００５０】
また、第１ガイドワイヤ２６０は、メイン案内管２００からシース１００の外部へ排出され、メイン案内管２００の移動方向を探知して移動をガイドすることができる。
【００５１】
メイン案内管２００と同様に、補助案内管３００には、補助案内管３００の移動をガイドする第２ガイドワイヤ３６０が挿入されてもよい。
【００５２】
すなわち、第２ガイドワイヤ３６０は、シース１００の外側面に形成された貫通孔１００ａを通してシース１００の内部に挿入され、補助案内管３００に挿入されて補助案内管３００の移動をガイドすることができる。
【００５３】
このとき、第１ガイドワイヤ２６０は、案内管ハンドル２５０を通じてメイン案内管２００に挿入されることに対し、第２ガイドワイヤ３６０は、シース１００の外側面を通じてシース１００の内部に挿入されてもよい。
【００５４】
前述したように、本発明の実施形態ではシース１００の直径を小さくするために、補助案内管３００をシース１００の前端に備えることにより、補助案内管３００の長さは、メイン案内管２００に比べて短く形成される。
【００５５】
したがって、第２ガイドワイヤ３６０は、案内管ハンドル２５０を通じてシース１００に挿入される代わりに、シース１００の外側面に形成された貫通孔１００ａを通じてシース１００に挿入されてもよい。
【００５６】
また、第２ガイドワイヤ３６０がシース１００と補助案内管３００に円滑に挿入されるよう、貫通孔１００ａが形成された位置は、補助案内管３００がシース１００の内部に挿入される位置より後端に位置してもよい。
【００５７】
このように、本発明の一実施形態によるステント挿入装置は、分枝された形態のステント５０を設置するようにメイン案内管２００と補助案内管３００とを含み、補助案内管３００をメイン案内管２００に比べて長さを短く形成することでシース１００の直径を小さくすることができるので、シース１００が体内に容易に挿入されるようにする。
【００５８】
一方、メイン案内管２００と補助案内管３００との前端には、オリーブチップ４００が備えられてもよい。
【００５９】
オリーブチップ（Ｏｌｉｖｅ Ｔｉｐ、４００）はメイン案内管２００と補助案内管３００の前端のそれぞれに備えられ、第１ガイドワイヤ２６０及び第２ガイドワイヤ３６０が挿入されるように中空形状に形成されてもよい。
【００６０】
オリーブチップ４００は、メイン案内管２００の移動に従って移動し、シース１００から外部に排出されて第１ガイドワイヤ２６０及び第２ガイドワイヤ３６０とともにメイン案内管２００及び補助案内管３００の移動をガイドすることができる。
【００６１】
また、オリーブチップ４００は、容易に体内に挿入されるように表面が曲面形状に形成されてもよく、中心から前端及び後端へ行くほど尖って形成されてもよい。
【００６２】
一方、図３及び図４を参照すると、シース１００の内部には支持部材４１０、マーカー４２０、係止部材４５０、及び固定ワイヤ５００などがさらに備えられてもよい。
【００６３】
支持部材４１０は、内部にメイン案内管２００が挿入され、外部に補助案内管３００が結合され、ステント５０の後端に備えられてステント５０の移動を防止することができる。
【００６４】
すなわち、支持部材４１０は、メイン案内管２００を直径方向に拡張させることによってステント５０の後端を支持し、メイン案内管２００またはシース１００の相対的な移動に従ってステント５０が移動することを防止することができる。
【００６５】
図３及び図４のように、補助案内管３００は、支持部材４１０を通じてメイン案内管２００に結合されることができるが、これに限定されない。
【００６６】
例えば、補助案内管３００は、直接にメイン案内管２００に結合されてもよく、支持部材４１０は、補助案内管３００の後端に備えられてもよい。このとき、支持部材４１０は、ステント５０に比べて直径が大きく形成され、ステント５０を支持してステント５０の移動を防止することができる。
【００６７】
また、支持部材４１０の前端には、ステント５０の位置が確認できるようにマーカー４２０が備えられてもよい。
【００６８】
マーカー４２０は、ステント５０が挿入される過程において、外部からステント５０の位置を確認できるようにするためのもので、例えばＸ-Ｒａｙで確認できる材質で形成されてもよい。
【００６９】
したがって、マーカー４２０を通じてステント５０の位置を確認した後、設置すべき位置に正確に設けることができる。
【００７０】
一方、マーカー４２０は、支持部材４１０の前端に備えられてステント５０の後端を表示するが、マーカー４２０は、ステント５０の後端だけでなく、メイン案内管２００又は補助案内管３００に備えられてステント５０の分枝された一端又は他端を示すこともできる。
【００７１】
一方、係止部材４５０は、メイン案内管２００と補助案内管３００との周りに突出するように形成され、ステント５０の移動を防止することができる。
【００７２】
このような係止部材４５０は、メイン案内管２００と補助案内管３００とステント５０との間の摩擦力を増加させることができ、支持部材４１０とともにステント５０の移動を防止することができる。
【００７３】
また、固定ワイヤ５００によってステント５０の一端と他端とは、メイン案内管２００と補助案内管３００とにそれぞれ固定され、ステント５０の拡張が防止される。
【００７４】
ここで、固定ワイヤ５００は、前述したように、シースハンドル１５０の突起部１６０を通じてシース１００の内部に挿入され、シース１００の前端に移動してステント５０の一端と他端とをメイン案内管２００と補助案内管３００とに結合させることができる。
【００７５】
ステント５０は、固定ワイヤ５００によってメイン案内管２００が補助案内管３００に縛られた状態で設置すべき位置に移動された後、固定ワイヤ５００がほどければ開かれて設置すべき位置に設けられることができる。
【００７６】
このとき、固定ワイヤ５００は、シースハンドル１５０から露出している一端が引っ張られることによって、ステント５０を固定する結び目がほどけるように形成されてもよい。
【００７７】
以上、図面を参照して本発明の一実施形態に係るステント挿入装置について説明した。次いで、図６ないし図１０を参照して本発明の一実施形態に係るステント挿入装置を利用したステント５０の設置過程について説明する。
【００７８】
先ず、図６を参照すると、シース１００を体内に挿入して設置すべき位置まで移動させることができ、シース１００は、分枝胆管４０が胆管３０から分枝された位置まで移動することができる。
【００７９】
このとき、シース１００を体内に挿入する過程で、第２ガイドワイヤ３６０もシース１００とともに体内に挿入することができる。
【００８０】
分枝胆管４０の位置に着くと、メイン案内管２００と補助案内管３００との一端から排出された第１ガイドワイヤ２６０と第２ガイドワイヤ３６０とを調節して、第１ガイドワイヤ２６０と第２ガイドワイヤ３６０とが両側の分枝胆管４０にそれぞれ位置させることができる。
【００８１】
次いで、前記図１及び図２で説明した案内管ハンドル２５０をシースハンドル１５０に向って押すことで、メイン案内管２００をシース１００から排出させることができる。すなわち、図７のように、メイン案内管２００は、シース１００から排出され、分枝胆管４０に位置した第１ガイドワイヤ２６０に沿って分枝胆管４０に挿入されてもよい。
【００８２】
このとき、補助案内管３００は、メイン案内管２００の移動に従って移動するようになり、第２ガイドワイヤ３６０に沿ってメイン案内管２００が挿入された分枝胆管４０に接している他の分枝胆管４０に挿入されてもよい。
【００８３】
このとき、メイン案内管２００と補助案内管３００とが分枝胆管４０からステント５０の設置すべき位置まで移動した後に移動が止められる。
【００８４】
この過程でメイン案内管２００と補助案内管３００とがシース１００から外部に排出されることにより、ステント５０の一端と他端とが固定ワイヤ５００によってメイン案内管２００と補助案内管３００とに縛られた状態でメイン案内管２００と補助案内管３００とに沿って両側の分枝胆管４０に挿入されてもよい。
【００８５】
次いで、メイン案内管２００と補助案内管３００とは、停止した状態でシース１００を後端へ引っ張ることができる。
【００８６】
シース１００が後端に移動することによって、シース１００の内部に収容されたステント５０の後端部分は、シース１００から外部に排出されることができ、シース１００から排出される過程で胆管３０の内側面に向って拡張されてもよい。
【００８７】
したがって、シース１００が支持部材４１０の後端まで移動すれば、ステント５０は、完全に拡張されて胆管３０に設置されることができる。
【００８８】
ステント５０の後端が胆管３０に設けられれば、続いて固定ワイヤ５００をほどいてステント５０の一端と他端とを分枝胆管４０に設置することができる。
【００８９】
すなわち、固定ワイヤ５００を引っ張ると、メイン案内管２００と補助案内管３００とに結合されたステント５０の一端と他端とがほどけて拡張され、分枝胆管４０にそれぞれ設置される。
【００９０】
これによって、ステント５０が分枝胆管４０と胆管３０とにＹ字形で設けられてもよい。
【００９１】
ステント５０の設置が完了すれば、メイン案内管２００を後端へ引っ張って、シース１００とともにステント５０の設置すべき位置からメイン案内管２００を除去することができる。
【００９２】
このように、本発明の一実施形態に係るステント挿入装置は、分枝型ステント５０を胆管３０と分枝胆管４０との結合部位に設置できるように形成され、シース１００の直径が小さく形成されて体内に容易に挿入できる。
【００９３】
以上のように本発明に係る実施形態を説明したが、前記説明の実施形態の他にも本発明の趣旨や範疇から脱することなく、他の特定形態で具体化できるという事実は、該技術に通常の知識を有する人には自明である。したがって、前述した実施形態は限定的ではなく、例示的なものとされるべきであり、これによって本発明は、前述した説明に限定されずに添付の請求項の範疇及びそれと同等な範囲内で変更されることも含む。
【符号の説明】
【００９４】
１０        肝
２０        胆嚢
３０        胆管
４０        分枝胆管
５０        ステント
１００      シース
１００ａ    貫通孔
１５０      シースハンドル
１６０      突起部
２００      メイン案内管
２５０      案内管ハンドル
２６０      第１ガイドワイヤ
３００      補助案内管
３６０      第２ガイドワイヤ
４００      オリーブチップ
４１０      支持部材
４２０      マーカー
４５０      係止部材
５００      固定部材
Ａ、Ｂ      設置すべき位置
【図１】
2018134369.tif 000003
【図２】
2018134369.tif 000004
【図３】
2018134369.tif 000005
【図４】
2018134369.tif 000006
【図５】
2018134369.tif 000007
【図６】
2018134369.tif 000008
【図７】
2018134369.tif 000009
【図８】
2018134369.tif 000010
【図９】
2018134369.tif 000011
【図１０】
2018134369.tif 000012
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
中空形状に形成されて内部にステントが収容されるシース；
前記シースの内部に移動可能に挿入されて前記ステントの一端に結合されるメイン案内管；
前記メイン案内管に分枝されるように結合されて前記ステントの一端から分枝された他端に結合される補助案内管；
前記メイン案内管に移動可能に挿入されて前記メイン案内管の移動をガイドする第１ガイドワイヤ；及び
前記シースの外側面に形成された貫通孔を通して前記シースの内部に挿入され、前記補助案内管に挿入されて前記補助案内管の移動をガイドする第２ガイドワイヤ、
を含む、ステント挿入装置。
【請求項２】
前記メイン案内管と前記補助案内管との前端にそれぞれ備えられ、前記第１ガイドワイヤ及び前記第２ガイドワイヤが挿入されるように中空形状に形成されるオリーブチップを含む、請求項１に記載のステント挿入装置。
【請求項３】
中空形状に形成されて内部にステントが収容されるシース；
前記シースの内部に移動可能に挿入されて前記ステントの一端に結合されるメイン案内管；
前記メイン案内管に分枝されるように結合されて前記ステントの一端から分枝された他端に結合される補助案内管；及び
内部に前記メイン案内管が挿入され、外部に前記補助案内管が結合され、前記ステントの後端に備えられて前記ステントの移動を防止する支持部材、
を含む、ステント挿入装置。
【請求項４】
前記支持部材の前端には、前記ステントの位置が確認されるようにマーカーが備えられる、請求項３に記載のステント挿入装置。
【請求項５】
前記メイン案内管と前記補助案内管との周りに突出するように形成されて前記ステントの移動を防止する係止部材を含む、請求項１に記載のステント挿入装置。
【請求項６】
前記ステントの一端と他端とを前記メイン案内管と前記補助案内管とにそれぞれ固定して前記ステントの拡張を防止する固定部材を含む、請求項１に記載のステント挿入装置。
【請求項７】
前記メイン案内管と連通するように前記メイン案内管の一端に備えられる案内管ハンドル；及び
前記メイン案内管が挿入されるように前記シースと連通するように結合されるシースハンドルを含む、請求項６に記載のステント挿入装置。